(57)【要約】      （修正有）【課題】新生児や体の未発達な乳児を亡くした親、ペットを亡くした飼い主が仏壇に触ることによって、少しでも自分がしてあげたかった無念の思いを込めて供養できるような仏壇を提供する。【解決手段】慰霊対象を安置するための仏壇１であって、凸型曲面状の底部と、慰霊対象３を載置するための載置部と、を備えると共に、仏壇中心下部には重り２を有することで、配置した場を中心に仏壇そのものが揺動する、仏壇。【選択図】図１
2015160094.tif 000002
【特許請求の範囲】
【請求項１】
慰霊対象を安置するための仏壇であって、凸型曲面状の底部と、慰霊対象を載置するための載置部と、を備えると共に、仏壇中心下部には重りを有することで、配置した場を中心に仏壇そのものが揺動することを特徴とする、仏壇。
【請求項２】
前後、又は、左右の一方向のみに揺動することを特徴とする、請求項１記載の仏壇。
【発明の詳細な説明】
【技術分野】
【０００１】
本発明は、慰霊対象を安置するための仏壇に関する。
【背景技術】
【０００２】
仏壇は一般家庭においては位牌などの慰霊対象を安置する葬祭用具として用いられてきた。従来の仏壇は、装飾の施された大きな箱体のものが大多数であったが、礼拝をする人の様々な思いにより、近年では後記特許文献のような葬祭用具も提案されている。
【０００３】
特許文献１では、透明又は半透明な球体の中に、仏像その他の仏具を収容するための孔を備えた葬祭用具が公開されている。
【先行技術文献】
【特許文献】
【０００４】
【特許文献１】特開２００８−１９４４１９号公報
【発明の概要】
【発明が解決しようとする課題】
【０００５】
前記特許文献１に記載された発明は、これまでの葬祭用具にはない斬新なデザインを有しているが、従来の仏壇同様、礼拝する人が直に手に触れて、思いを伝えるようなものではなかった。しかしながら、新生児や体の未発達な乳児を亡くした親、ペットを亡くした飼い主などは、自分の心の平穏を取り戻すためにも、少しでも自分がしてあげたかった無念の思いを仏壇に込めて供養したい思いが強いという現状もあった。
【０００６】
本発明は上記実情を基に開発されたもので、新生児や体の未発達な乳児を亡くした親、ペットを亡くした飼い主が仏壇に触ることによって、少しでも自分がしてあげたかった無念の思いを込めて供養できるような仏壇の提供を目的としている。
【課題を解決するための手段】
【０００７】
前記の課題を解決するための本発明のうち請求項１記載の発明は、慰霊対象を安置するための仏壇であって、凸型曲面状の底部と、慰霊対象を載置するための載置部と、を備えると共に、仏壇中心下部には重りを有することで、配置したその場で仏壇そのものが揺動することを特徴とする、仏壇である。
【０００８】
本発明のうち請求項２記載の発明は、前後、若しくは、左右の一方向のみに揺動することを特徴としている。
【発明の効果】
【０００９】
本発明のうち請求項１記載の発明によれば、新生児や体の未発達な乳児を亡くした親、ペットを亡くした飼い主が、仏壇に直に手を触れて揺らすという行為で、少しでも自分がしてあげたかった無念の思い、例えば、もっとお世話をしてあげたかった思いや、撫でてあげたかった思い等を表現することができる。なお、仏壇下部中央には重りを有しているので、揺らさない限りは、安定直立するものであって、揺らした際には、水平方向へゆらゆらスイングしつつ置かれた場所にとどまるので、仏壇は、配置した場所からどこかに転がっていくようなこともない。
【００１０】
本発明のうち請求項２記載の発明によれば、ゆりかごのように単調に揺れることを可能とする。そのため、新生児や体の未発達な乳児の段階で亡くなった子供用の位牌等を本発明の仏壇に安置し、仏壇をゆりかごのように揺らすことによって、ゆりかごでお世話をしてあげたかったというより具体的な思いを込めることが可能なものとなる。なお、ゆりかごは、まだ自分で移動することのできない赤ちゃんなどを収めて揺らすことで、楽しませたり、安眠できるようにするための道具であり、世界各地で古くから使用されるものである。
【図面の簡単な説明】
【００１１】
【図１】（イ）、（ロ）、（ハ）図は、本発明による仏壇の第一実施形態を示す正面図と、斜視図と、断面図である。
【図２】本発明による仏壇の第二実施形態を示す斜視図である。
【図３】（イ）、（ロ）図は、本発明による仏壇の第三実施形態を示す正面図と、側面図である。
【発明を実施するための形態】
【００１２】
以下に、図面に基づいて本発明による仏壇１について説明する。本発明による仏壇１の第一実施形態は、図１（イ）、（ロ）、（ハ）を参照すれば、外形は、凸型曲面状の底部を有する形状の一種である、卵形状であって、一方向側、（図１（イ）を参照すれば正面側）が大きく開口し、仏壇１の内部に位牌、遺骨、遺影等の慰霊対象３を載置するための載置部を備えている。そして、その載置部よりも下位、言い換えるならば、仏壇１の中心下部には、重り２を有している。この構成によれば、仏壇１は、揺らさない限りは、安定直立するものであって、揺らした際にも、仏壇１は、ゆらゆら揺動して置かれた場所にとどまる。そして、仏壇１の揺動する時間は、仏壇１の重心の位置や、仏壇１の底部の形状により変化させることが可能である。そのため、仏壇１の底部中央部分に水平面を有する構成にすることで、底部全体の形状が凸形曲面状の場合に比べて、より短時間で揺動を収束させることができる。
【００１３】
そして、仏壇１の素材としては、黒檀、紫檀、黄王檀、鉄刀木等の仏壇１に一般的に使用されうる木材、ウォールナットやチーク、或いはメープル等の一般的に家具に用いられるような木材、樹脂、軽金属等が好適であるが、それらに限定されるものではない。また、仏壇１は、図では一体化した構造をなしているが、複数の部材を着脱自在に組み合わせたものでもよい。
【００１４】
重り２は、真鍮等の金属が好適であるが、特に本発明を限定するものではなく、仏壇１全体に比べて比重が大きければよい。
【００１５】
また、本発明の第二実施形態は、図２に示すように、慰霊対象３の高さが比較的低いもの、ペットの遺影等を安置するための仏壇１であって、外形は、凸型曲面状の底部を有する形状の一種である、半円球状であって、上面が窪み、その窪んだ部分に慰霊対象３を載置するための載置部を備えている。なお、載置部にはクッションのようなものを置き、慰霊対象３の下部を優しく包みこむような構成にしても問題はない。
【００１６】
そして、本発明の仏壇１は、図３（イ）、（ロ）で示す第三実施形態のように、板体４を備えるものであってもよい。板体４は、板体４の表面に、装飾、模様又は色彩もしくはこれらの組み合わせ等を施すことによって、見栄えや商品価値が向上すると共に、インテリアとしての意匠性も高まり、種々の住居空間に仏壇１を調和させることができるものである。なお、この板体４は、仏壇１と一体化した構造でもよいが、仏壇１に着脱自在なものであってもよい。また、板体４の形状としては、図３（イ）、（ロ）に示すような平板状のものに限らず、大きく湾曲したもの、多少の凹凸、例えば、描かれた絵の部分に若干の凹凸を付与する等、どのような形状であってもよいし、複数の板体４を組み合わせて一つの形状を構成するようなものでも問題ない。
【００１７】
なお、板体４の材質は、例えば金属・プラスチック・木材等が想定されるが、本発明を特に限定するものではない。また、不透明、透明又は半透明の素材であっても構わない。
【００１８】
本発明の仏壇１は、上記実施形態に限定されるものではなく、その趣旨を逸脱しない範囲において適宜変更可能である。例えば、上記実施形態では、仏壇１が慰霊対象３の全体、又は、一部分を包み込む構成であるが、単純に仏壇１の上面に、慰霊対象３を配置するような構成でも問題はないし、逆に仏壇１に蓋のようなものを取付けて、完全に慰霊対象３を覆う、優しく包み込む雰囲気を持たせた構成でもよい。また、仏壇１の底面の形状を半円柱状にすることで、仏壇１の揺動方向を限定する構成にし、よりゆりかごに似た挙動をする構成にしても問題ない。そして、仏壇１には、慰霊対象３以外にも、花立、香炉、火立、仏飯器、鈴、打敷、過去帳、香合等の仏具を配置してもよい。
【符号の説明】
【００１９】
１  仏壇
２  重り
３  慰霊対象
４  板体
【図１】
2015160094.tif 000003
【図２】
2015160094.tif 000004
【図３】
2015160094.tif 000005